(57)【要約】      （修正有）【課題】片手で容易に洗濯物干し、取り込みができる開閉保持自在の洗濯バサミ及び物干し具を堤供する。【解決手段】竿ピンチにおいてＣ形スプリング７の先端部がハサミ部３の開閉に対応してスライドする。ハサミ部３が閉じているときはＣ形スプリング７の両先端部はヒンジ部６よりもハサミ部３側に位置する。握り部４を閉じる方向に操作することによりハサミ部３が開くに従って、Ｃ形スプリング７の先端部はスライドしヒンジ部６よりも握り部４側に位置しハサミ部３は開いた状態で保持される。片手で洗濯物を両方のハサミ部３の間に挿入した状態で他の指を使ってハサミ部３を閉じることが可能で洗濯物を干すことができる。ハサミ部３に挟まれた洗濯物を下に引くだけでハサミ部３が開く構造となっているため、片手で容易に洗濯物を取り込むことができる。【選択図】図１
0003185785.tif 000002
【実用新案登録請求の範囲】
【請求項１】
洗濯物干し用竿ピンチのハサミ材（２）の外側にＣ形スプリング（７）先端部がスライドするためのガイドとなる溝部（５）を設け、ハサミ部（３）が閉じているときは、Ｃ形スプリングの両先端部がヒンジ部（６）よりもハサミ部（３）側に位置し、にぎり部（４）を閉じる方向に操作することによりハサミ部（３）が開くに従いＣ形スプリング（７）の先端部がスライドしヒンジ部（６）よりも握り部（４）側に位置したときにハサミ部（３）が開いたままの状態を保持することができ、ハサミ部（３）を閉じる方向に操作することによりハサミ部（３）が閉じるに従いＣ形スプリング（７）先端部がスライドしヒンジ部（６）よりもハサミ部（３）側に位置したときにハサミ部（３）が閉じ、洗濯物をはさむことができる洗濯バサミ（１）において、Ｃ形スプリング（７）の両先端部が球面であってＣ形スプリング（７）の先端部がスムーズにスライドすることを特徴とする開閉保持自在の洗濯バサミ（１）。
【請求項２】
Ｃ形スプリング（７）の両先端部に球状の樹脂を載置したことを特徴とする請求項１の開閉保持自在の洗濯バサミ（１）。
【請求項３】
Ｃ形スプリング（７）の両先端部に球状の金属を載置したことを特徴とする請求項１の開閉保持自在の洗濯バサミ（１）。
【請求項４】
請求項２又は請求項３の開閉保持自在の洗濯バサミ（１）におけるＣ形スプリング（７）の両先端部に載置した球状の樹脂又は金属を溝部（５）の溝幅に合わせて切落とし太鼓状としたことを特徴とする開閉保持自在の洗濯バサミ（１）。
【請求項５】
請求項１、２、３又は４からなる開閉保持自在の洗濯バサミ（１）を吊下げ具（９）を介して吊下げることを特徴とする物干し具。
【考案の詳細な説明】
【技術分野】
【０００１】  本考案は、ケガその他で片手に障害があって片手しか使えない人が片手で容易に洗濯物干し、取り込みができる洗濯バサミに関する。
【背景技術】
【０００２】  従来の洗濯バサミは片手でにぎり部を握ることでハサミ部を開き、もう一方の手で洗濯物をつまみ開いたハサミ部の間に挿入して、洗濯物を洗濯バサミに固定するものであって、両手で洗濯物を干すのが一般的であった（例えば特許文献１）。【０００３】  片手で洗濯物干しができるものとして、磁石を利用したもの（例えば特許文献２）や、Ｈ形洗濯バサミ（例えば特許文献３）があった。さらには、片手の指操作で洗濯物をはさみ易くした開閉保持自在の洗濯バサミが考案された。（例えば特許文献４）
【先行技術文献】
【０００４】
【特許文献１】特開２００５−７０１２
【特許文献２】特開２００１−１４９６９４
【特許文献３】特開２００８−６２５０
【特許文献４】実登３１８３１６２
【考案の概要】
【考案が解決しようとする課題】
【０００５】  しかしながら、磁石を利用した洗濯バサミ（特許文献２）では、開いたハサミ部に洗濯物をつまんで片手で挿入はできるが、その状態でハサミ部を閉じる操作に難点があった。
また、Ｈ形洗濯バサミ（特許文献３）では、構造が複雑であった。
このような欠点を改良したものが開閉保持自在の洗濯バサミ（特許文献４）であって、指でつまんだ洗濯物を開放保持されたハサミ部に挿入し、他の指でハサミ部を閉じることができるため、片手で容易に洗濯物干しが可能となり、洗濯物を挟んだ状態で握り部を握るとハサミ部が開き洗濯物は洗濯バサミから外れるため、片手で容易に取り込ことが可能となった。【０００６】  本考案は開閉保持自在の洗濯バサミをさらに改良すべくなされたものであって、ハサミ部の開閉操作がよりスムーズにできることを目的とする。
【課題を解決するための手段】
【０００７】  普通の洗濯バサミでは洗濯物を挟み込むためのＣ形スプリングの先端部がヒンジ部よりもハサミ部側の位置で固定されているところ、本考案の開閉保持自在の洗濯バサミ（１）はハサミ部（３）の開閉に応じてＣ形スプリング（７）の先端がスライドし、ヒンジ部（６）を越えて移動できることを特徴とする。【０００８】    洗濯物干し用竿ピンチにおいて、ハサミ部（３）が閉じているときはＣ形スプリング（７）の両先端部はヒンジ部（６）よりもハサミ部（３）側に位置し、握り部（４）を握ることによりハサミ部（３）が開くに従って、Ｃ形スプリング（７）の両先端部がスライドしヒンジ部（６）よりも握り部（４）側に位置すると、Ｃ形スプリング（７）のスプリング力が握り部を閉じる力として作用し、ハサミ部（３）が開いた状態で保持され、ハサミ部（３）を閉じるときは、ハサミ部が閉じるに従ってＣ形スプリング（７）の両先端部がスライドしヒンジ部（６）よりもハサミ部（３）側に位置すると、Ｃ形スプリング（７）のスプリング力がハサミ部（３）を閉じる力として作用し、ハサミ部（３）が閉じた状態で保持されることを特徴とする。【０００９】  図１は本考案の開閉保持自在の洗濯バサミ（１）の正面図でハサミ部（３）が閉じた状態を示し、図２はハサミ部（３）が開いた状態を示したものである。図３はハサミ材（２）の側面図を示したものである。図４はＣ形スプリング（７）の先端部で請求項１の例、図５は同じく請求項２又は３の例、図６は同じく請求項４の例を示す。【００１０】  本考案の開閉保持自在の洗濯バサミ（１）においては、Ｃ形スプリング（７）をスムーズにスライドさせるために請求項１はＣ形スプリング（７）の先端を図４にしめすように球面にし、請求項２又は請求項３は、図５に示すようにＣ形スプリング（７）の先端に球状の樹脂又は金属を載置したものである。請求項４は図６に示すように球状の樹脂又は金属を溝部（５）の溝幅に合わせて、球面の一部を切り落とし太鼓状としたものである。【００１１】  本考案による開閉保持自在の洗濯バサミ（１）を使えば、以下のように、片手で洗濯物を干すことができる。
本考案による開閉保持自在の洗濯バサミ（１）において、ハサミ部（３）を開いた状態で、人差し指と親指とでつまんだ洗濯物を開放保持されたハサミ部（３）に挿入し、他の指例えば中指でハサミ材（２）を操作することによりハサミ部（３）を閉じることが可能となり、片手で容易に洗濯物干しができる。【００１２】  図７は開放保持されたハサミ部（３）に人差し指と親指とでつまんだ洗濯物を挿入した状態を示したものである。【００１３】  取り込む場合は、従来の洗濯バサミと同様握り部（４）を握るとハサミ部（３）が開き洗濯物は洗濯バサミから外れるため片手で取り込みが可能であるが、本考案による開閉保持自在の洗濯バサミ（１）は、以下に述べるように洗濯物を下に引くことで洗濯物が洗濯バサミ（１）から外れるため片手で容易に洗濯物を取り込みができることが特徴的である。【００１４】  洗濯バサミ吊下げ具（９）に吊り下げられた本考案による開閉保持自在の洗濯バサミ（１）に保持されている洗濯物を片手で下に引くと、Ｃ形スプリング（７）は洗濯バサミ吊下げ具（９）により上に引っ張られ、Ｃ形スプリング（７）の先端は握り部（４）側にスライドし、ハサミ部（３）の挟む力が弱まり、さらに洗濯物を下に引けば、ついにはハサミ部（３）は開き、洗濯物は洗濯バサミから外れため、洗濯物を片手で容易に取り込むことができる。【００１５】  請求項５は、吊下げ具（９）を介して、請求項１乃至は請求項４の開閉保持自在の洗濯バサミ（１）を吊下げた物干し具である。
【考案の効果】
【００１６】  洗濯物干し用竿ピンチにおいて、ハサミ部（３）の開閉の度合いに応じてＣ形スプリング（７）の先端が移動することを特徴とする本考案の開閉保持自在の洗濯バサミ（１）により、片手で容易に洗濯物干し、取り込みができるようになった。
【図面の簡単な説明】
【００１７】
【図１】開閉保持自在の洗濯バサミ正面図
【図２】開閉保持自在の洗濯バサミにおいてハサミ部が開いた状態
【図３】開閉保持自在の洗濯バサミのハサミ材の側面図
【図４】先端が球面であるＣ形スプリング（７）の正面図
【図５】先端に球状の樹脂又は金属を載置したＣ形スプリング（７）の正面図
【図６】先端に太鼓状の樹脂又は金属を載置したＣ形スプリング（７）の側面図
【図７】開閉保持自在の洗濯バサミに洗濯物をはさむ方法
【符号の説明】
【００１８】    １  開閉保持自在の洗濯バサミ
２  ハサミ材
３  ハサミ部
４  握り部
５  溝部
６  ヒンジ部
７  Ｃ形スプリング
８  Ｃ形スプリング通し穴
９  洗濯バサミ吊り下げ具
【図１】
0003185785.tif 000003
【図２】
0003185785.tif 000004
【図３】
0003185785.tif 000005
【図４】
0003185785.tif 000006
【図５】
0003185785.tif 000007
【図６】
0003185785.tif 000008
【図７】
0003185785.tif 000009